Podtech/llm-jp-corpus-v4-ja_patent huggingface dataset:
【手続補正書】
【提出日】平成17年4月25日(2005.4.25)
【手続補正１】
【補正対象書類名】明細書
【補正対象項目名】特許請求の範囲
【補正方法】変更
【補正の内容】
【特許請求の範囲】
【請求項１】  以下の一般構造：
【化１】
2004510783.tif 000001
式中：
Ｒ１およびＲ２は、互いに同一であるかまたは異なることができ、Ｃ７〜２５アルキル、Ｃ７〜２５アルケニルまたはＣ７〜２５アルキニルを示し、
Ｘは、Ｓ、ＯまたはＣＨ２を示し、
Ｗは、ＣＯまたはＳ（Ｏ）ｎ（式中、ｎ＝１または２）を示し、
Ｙは、１〜１３個のアミノ酸残基からなる生理学的に許容し得るアミノ酸配列を示し、＊で標識した不斉炭素原子は、Ｘ＝Ｓ（硫黄）の場合、絶対配置Ｓおよび／またはＲを有する、
を有するリポペプチドまたはリポプロテインの、肺外腫瘍の肺転移を治療するための組成物の製造への使用。
【請求項２】  以下の一般構造：
【化２】 
2004510783.tif 000002
式中：
Ｒ１およびＲ２は、互いに同一であるかまたは異なることができ、Ｃ７〜２５アルキル、Ｃ７〜２５アルケニルまたはＣ７〜２５アルキニルを示し、
Ｘは、Ｓ、ＯまたはＣＨ２を示し、
Ｗは、ＣＯまたはＳ（Ｏ）ｎ（式中、ｎ＝１または２）を示し、
Ｙは、１〜１３個のアミノ酸残基からなる生理学的に許容し得るアミノ酸配列を示し、＊で標識した不斉炭素原子は、Ｘ＝Ｓ（硫黄）の場合、絶対配置Ｒを有する、
を有するリポペプチドまたはリポプロテインの、肺外腫瘍の肺転移を治療するための組成物の製造への使用。
【請求項３】  以下の一般構造：
【化３】
2004510783.tif 000003
式中：
Ｒ１およびＲ２は、互いに同一であるかまたは異なることができ、Ｃ７〜２５アルキル、Ｃ７〜２５アルケニルまたはＣ７〜２５アルキニルを示し、
Ｘは、Ｓ、ＯまたはＣＨ２を示し、
Ｗは、ＣＯまたはＳ（Ｏ）ｎ（式中、ｎ＝１または２）を示し、
Ｙは、１〜１３個のアミノ酸残基からなる生理学的に許容し得るアミノ酸配列を示し、＊で標識した不斉炭素原子は、Ｘ＝Ｓ（硫黄）の場合、絶対配置Ｓおよび／またはＲを有する、
を有するリポペプチドまたはリポプロテインの、肺炎症を防止するため、気管支粘膜中のリンパ組織を増大させるため、並びに肺感染症および肺外腫瘍の肺転移を除く肺腫瘍を治療するための組成物の製造への使用。
【請求項４】  以下の一般構造：
【化４】
2004510783.tif 000004
式中：
Ｒ１およびＲ２は、互いに同一であるかまたは異なることができ、Ｃ７〜２５アルキル、Ｃ７〜２５アルケニルまたはＣ７〜２５アルキニルを示し、
Ｘは、Ｓ、ＯまたはＣＨ２を示し、
Ｗは、ＣＯまたはＳ（Ｏ）ｎ（式中、ｎ＝１または２）を示し、
Ｙは、１〜１３個のアミノ酸残基からなる生理学的に許容し得るアミノ酸配列を示し、＊で標識した不斉炭素原子は、Ｘ＝Ｓ（硫黄）の場合、絶対配置Ｒを有する、
を有するリポペプチドまたはリポプロテインの、肺炎症を防止するため、気管支粘膜中のリンパ組織を増大させるため、並びに肺感染症および肺外腫瘍の肺転移を除く肺腫瘍を治療するための組成物の製造への使用。
【請求項５】  Ｙが、Ｎ末端からＣ末端に、ＧＮＮＤＥＳＮＩＳＦＫＥＫと読み取られるアミノ酸配列を示し、任意の１、２、３、４、５または６個のアミノ酸が、得られたリポペプチドまたはリポプロテインが水溶性であるかまたは両性である場合には、欠損しているかまたは交換されていることが可能である、請求項１〜４のいずれかに記載の使用。
【請求項６】  得られたアミノ酸配列が、出発配列に関して、約５５％、特に約６０％、特に約７０％、特に約８０％、特に約８５％、特に約９０％の相同性の程度を有する、請求項５に記載の使用。
【請求項７】  Ｃ７〜２５アルキル、Ｃ７〜２５アルケニルまたはＣ７〜２５アルキニルが、Ｃ１５アルキル、Ｃ１５アルケニルまたはＣ１５アルキニルである、請求項１〜６のいずれかに記載の使用。
【請求項８】  Ｃ７〜２５アルケニル基において、１または２以上の二重結合が、シス配置を有する、請求項１〜７のいずれかに記載の使用。
【請求項９】  Ｓ−［２，３−ビスパルミトイルオキシ−（２ＲＳ）−プロピル］システイニル−ＧＮＮＤＥＳＮＩＳＦＫＥＫの、請求項１〜８のいずれかに記載の使用。
【請求項１０】  Ｓ−［２，３−ビスパルミトイルオキシ−（２Ｒ）−プロピル］システイニル−ＧＮＮＤＥＳＮＩＳＦＫＥＫの、請求項１〜８のいずれかに記載の使用。
【請求項１１】  リポペプチドまたはリポプロテインが、吸入に適する水性溶液、懸濁液またはエマルジョンの形態である、請求項１〜１０のいずれかに記載の使用。
【請求項１２】  肺感染症が、慢性肺疾患における再発性気道感染症であり、肺腫瘍が、肺上皮の原発性腫瘍である、請求項３〜１１のいずれかに記載の使用。
【手続補正２】
【補正対象書類名】明細書
【補正対象項目名】０００６
【補正方法】変更
【補正の内容】
【０００６】
本発明は、以下の一般構造：
【化５】
2004510783.tif 000005
式中：
Ｒ１およびＲ２は、互いに同一であるかまたは異なることができ、Ｃ７〜２５アルキル、Ｃ７〜２５アルケニルまたはＣ７〜２５アルキニルを示し、
Ｘは、Ｓ、ＯまたはＣＨ２を示し、
Ｗは、ＣＯまたはＳ（Ｏ）ｎ（式中、ｎ＝１または２）を示し、
Ｙは、１〜１３個のアミノ酸残基からなる生理学的に許容し得るアミノ酸配列を示し、＊で標識した不斉炭素原子は、Ｘ＝Ｓ（硫黄）の場合、絶対配置Ｓおよび／またはＲを有する、
を有するリポペプチドまたはリポプロテインを、肺炎症を防止するため（特に危険群において−インフルエンザ予防ワクチン接種と同様にして）、気管支粘膜中のリンパ組織を増大させるため（この結果、その後の吸入ワクチン接種の効率が改善される（補助剤効果））、並びに肺感染症および肺腫瘍を治療するために用いることができるという、驚異的な発見に基づいている。
【手続補正３】
【補正対象書類名】明細書
【補正対象項目名】０００９
【補正方法】変更
【補正の内容】
【０００９】
Ｓ−（２，３−ビスアシルオキシプロピル）−システインペプチドの場合において、アシル基は、好ましくは、パルミトイル基である。
特定の化合物として、例えば、
Ｓ−［２，３−ビスパルミトイルオキシ−（２ＲＳ）−プロピル］システイニル−ＧＮＮＤＥＳＮＩＳＦＫＥＫおよび
Ｓ−［２，３−ビスパルミトイルオキシ−（２Ｒ）−プロピル］システイニル−ＧＮＮＤＥＳＮＩＳＦＫＥＫ
をあげることができる。
本発明において用いるために、リポペプチドまたはリポプロテインは、吸入に適する水性溶液、懸濁液またはエマルジョンの形態であることができる。
【手続補正書】
【提出日】平成15年6月3日(2003.6.3)
【手続補正１】
【補正対象書類名】明細書
【補正対象項目名】特許請求の範囲
【補正方法】変更
【補正の内容】
【特許請求の範囲】
【請求項１】
医薬として受容し得る担体または希釈剤及び下記を含む細菌：
（i）部位特異的組換え酵素をコードするDNA配列；及び
（ii）組換え酵素の認識配列及び異種ポリペプチドをコードするDNA配列を含むプラスミド、
からなるワクチン。
【請求項２】
異種ポリペプチドが病原体の抗原である請求項1に記載のワクチン。
【請求項３】
プラスミドが部位特異的組換え酵素をコードするDNA配列を含む請求項1または2に記載のワクチン。
【請求項４】
部位特異的組換え酵素が部位特異的組換え酵素の解離酵素ファミリーの一員である上記請求項のいずれかに記載のワクチン。
【請求項５】
部位特異的組換え酵素がRsd解離酵素でありそして認識配列がcrs認識配列である請求項4に記載のワクチン。
【請求項６】
Rsd解離酵素およびcrs認識配列がプラスミド上で0.5kb以下離れている請求項5に記載のワクチン。
【請求項７】
Rsd解離酵素が
(a)  SEQ ID NO:1の位置680から1459のヌクレオチド配列を含むDNA分子、
(b)  (a)の相補体にハイブリッド形成するDNA分子、または
(c)  (a)または(b)のDNA分子と同じアミノ酸配列をコードするが(a)または(b)のDNA分子の縮重型であるDNA分子、
によってコードされている請求項5または6に記載のワクチン。
【請求項８】
crs認識配列が
(a)  SEQ ID NO:1のヌクレオチド54から556またはその相補体、または
(b)  SEQ ID NO:1のヌクレオチド53から556の配列を含むDNA分子とハイブリッド形成するDNA分子またはその相補体、
の配列を有する請求項5，6または7に記載のワクチン。
【請求項９】
認識配列と異種ポリペプチドをコードする遺伝子のプロモーターの間に転写終結配列が存在する上記請求項のいずれか一つに記載のワクチン。
【請求項１０】
ポリペプチドの発現がnirB, pagC, ssaHまたはhtrAプロモーターにより推進される上記請求項のいずれか一つに記載のワクチン。
【請求項１１】
細菌がEscherichia, Salmonella, Shigella, Vibrio, Neisseria, Bordetella, ListeriaまたはMycobacterium属から選択されている上記請求項のいずれか一つに記載のワクチン。
【請求項１２】
細菌がEscherichia coli, Salmonella typhimurium, Salmonella typhi, Salmonella enteritidis, Salmonella choleraesuis, Salmonella dublin, Neisseria gonorrhoeae, Neisseria menigitidis, Shigella flexneri, Shigella dysenteriae, Shigella sonnei, Vibrio CholeraeまたはMycobacterium tuberculosisである請求項11に記載のワクチン。
【請求項１３】
細菌が病原性細菌の弱毒株である上記請求項のいずれか一つに記載のワクチン。
【請求項１４】
細菌がSalmonella typhiの弱毒株である請求項13に記載のワクチン。
【請求項１５】
細菌がエンテロトキシン性E. coli (ETEC)、腸病原性E. coli（EPEC）、腸侵襲性E. coli（EIEC）または腸管出血性E. coli（EHEC）の弱毒株である請求項13に記載のワクチン。
【請求項１６】
細菌がShigella flexneriまたは Shigella sonneiである請求項13に記載のワクチン。
【請求項１７】
細菌が以下の遺伝子：
aro遺伝子、pur遺伝子、ompC, ompF, ompR, htrA, galE, cya, crpおよびphoP、の少なくとも一つの遺伝子における非復帰突然変異により弱毒化している請求項13から16のいずれか一つに記載のワクチン。
【請求項１８】
細菌が1個、2個、3個または4個の異なる遺伝子における非復帰突然変異により弱毒化している請求項13から17のいずれか一つに記載のワクチン。
【請求項１９】
細菌が（i）htrA遺伝子または少なくとも一つのomp遺伝子における非復帰突然変異及び（ii）少なくとも一つのaro遺伝子における非復帰突然変異により弱毒化している請求項13から18のいずれか一つに記載のワクチン。
【請求項２０】
細菌がaroC遺伝子、ompF遺伝子及びompC遺伝子のそれぞれにおける非復帰突然変異により弱毒化している請求項13から18のいずれか一つに記載のワクチン。
【請求項２１】
細菌が2個の異なるaro遺伝子のそれぞれにおける非復帰突然変異により弱毒化している請求項13から19のいずれか一つに記載のワクチン。
【請求項２２】
aro遺伝子がaroA及びaroC, aroA及びaroDまたはaroC及びaroDである請求項21に記載のワクチン。
【請求項２３】
異種ポリペプチドの発現が真核発現カセットにより行われる請求項1から9及び11から22のいずれか一つに記載のワクチン。
【請求項２４】
細菌が侵襲的細菌である請求項23に記載のワクチン。
【請求項２５】
異種抗原がHelicobacter pylori抗原である請求項2から24のいずれか一つに記載のワクチン。
【請求項２６】
異種ポリペプチドが病原体の抗原である、上記請求項のいずれか一つに規定されている細菌。
【請求項２７】
異種ポリペプチドが病原体の抗原である、請求項1から10、23及び25のいずれか一つに規定されているプラスミド。
【請求項２８】
ヒトまたは動物に予防接種する方法に使用する請求項1から25のいずれか一つに記載のワクチンまたは請求項26に記載の細菌。
【請求項２９】
ヒトまたは動物に予防接種するための医薬品を製造するために請求項26に記載された細菌の使用。
【請求項３０】
請求項1から25のいずれかに記載のワクチンまたは請求項26に記載の細菌を宿主に投与することを含むヒトまたは動物に免疫応答を引き起こす方法。
【手続補正書】
【提出日】平成16年9月2日(2004.9.2)
【手続補正１】
【補正対象書類名】特許請求の範囲
【補正対象項目名】全文
【補正方法】変更
【補正の内容】
【特許請求の範囲】
【請求項１】
PPARデルタ活性化因子および少なくとも１つの製剤用担体を含み、PPARデルタアゴニストが炎症性の疾病または状態の治療に使用するために有効な量で存在する、炎症の治療に使用するための医薬製剤。
【請求項２】
PPARデルタ活性化因子がPPARデルタアゴニストである、請求項１記載の医薬製剤。
【請求項３】
PPARデルタアゴニストが選択的アゴニストである、請求項２記載の医薬製剤。
【請求項４】
選択的PPARデルタアゴニストがhPPARデルタ選択的アゴニストである、請求項３記載の医薬製剤。
【請求項５】
PPARデルタ活性化因子が一般式(I)：
【化１】
2004510750.tif 000001
〔式中、
Xは、COOHもしくはその加水分解性エステルまたはテトラゾール基を表し；
X1は、NH、NCH3、O、S、結合、CH2、またはCHを表し、ここで点線は、X1がCHの場合には描かれた結合が二重結合であることを示し；
X2は、OまたはSを表し；
R1およびR2は、独立にH、CH3、OCH3、またはハロゲンを表し；
nは１または２であり；
YおよびZのうち一方はNであり、他方はSまたはOであり；
yは0、1、2、3、4または5であり；
R3はそれぞれ独立に、CF3またはハロゲンを表す。〕
で表される化合物である、請求項１記載の医薬製剤。
【請求項６】
PPARデルタ活性化因子が、{2-メチル-4-[4-メチル-2-(4-トリフルオロメチルフェニル)チアゾール-5-イルメチルチオ]フェノキシ}酢酸である、請求項１記載の医薬製剤。
【請求項７】
炎症性の疾病または状態を治療するための医薬品の製造におけるPPARデルタ活性化因子の使用。
【請求項８】
化合物がPPARデルタと直接相互作用するかどうかを決定するステップ、または化合物がPPARデルタを活性化するかどうかを決定するステップを含む、炎症性の疾病または状態の治療に有用な化合物を同定する方法。
【手続補正書】
【提出日】平成16年6月15日(2004.6.15)
【手続補正１】
【補正対象書類名】明細書
【補正対象項目名】特許請求の範囲
【補正方法】変更
【補正の内容】
【特許請求の範囲】
【請求項１】  分割エンベロープRSVウイルス調製物を含むワクチン製剤であって、該分割エンベロープウイルス調製物が、ウイルス膜断片、ウイルス膜エンベロープタンパク質、ウイルス基質、および核タンパク質を含む、上記製剤。
【請求項２】  上記のワクチン用調製物が、インフルエンザウイルス、呼吸器合胞体ウイルス、パラインフルエンザウイルス、メタニューモウイルス（metapneumovirus）、麻疹ウイルス、流行性耳下腺炎ウイルス、エプスタイン-バーウイルス、ヘルペスウイルス、サイトメガロウイルス、デング熱ウイルス、黄熱病ウイルス、ダニ媒介脳炎ウイルス、日本脳炎ウイルス、風疹ウイルス、東部、西部およびベネズエラウマ脳脊髄炎ウイルス、およびヒト免疫不全ウイルスからなる群より選択される別の分割ウイルスをさらに含む、請求項１に記載のワクチン製剤。
【請求項３】  １種以上の残留する分割剤をさらに含む、請求項１または２に記載のワクチン製剤。
【請求項４】  残留する分割剤が、ラウレス(laureth)9、NaDOC、サルコシル(Sarcosyl)類、Tween 80TM、およびTriton X-100TMからなる群より選択される、請求項３に記載のワクチン製剤。
【請求項５】  残留する分割剤がNaDOCまたはサルコシルである、請求項４に記載のワクチン製剤。
【請求項６】  安定化剤をさらに含む、請求項１〜５のいずれか１項に記載のワクチン製剤。
【請求項７】  安定化剤が界面活性剤である、請求項６に記載のワクチン製剤。
【請求項８】  界面活性剤が、ポリオキシエチレンソルビタンモノオレエート（TWEEN80TM）、t-オクチルフェノキシポリエトキシエタノール（TRITON X100TM）、もしくはポリオキシエチレン-9-ラウリルエーテルの単独またはそれらの混合物である、請求項７に記載のワクチン製剤。
【請求項９】  ワクチンが鼻腔内送達されるように製剤化されている、請求項１〜８のいずれか１項に記載のワクチン製剤。
【請求項１０】  ワクチンが筋肉内または皮下送達されるように製剤化されている、請求項１〜８のいずれか１項に記載のワクチン製剤。
【請求項１１】  ワクチンが、経皮(transdermal)、皮内、上皮内または皮膚を通した(transcutaneous)経路によって送達されるように製剤化されている、請求項１〜８のいずれか１項に記載のワクチン製剤。
【請求項１２】  ワクチンが皮内送達用に製剤化されている、請求項１１に記載のワクチン製剤。
【請求項１３】  アジュバントをさらに含む、請求項１〜１２のいずれか１項に記載のワクチン製剤。
【請求項１４】  アジュバントがポリオキシエチレン-9-ラウリルエーテルである、請求項１３に記載のワクチン製剤。
【請求項１５】  アジュバントがTH1細胞応答の選択的刺激剤である、請求項１３に記載のワクチン製剤。
【請求項１６】  TH1細胞応答の選択的刺激剤が、3D-MPL、QS21、QS21とコレステロールの混合物、CpGオリゴヌクレオチド、およびそれらの組合せを含むアジュバントの群から選択される、請求項１５に記載のワクチン製剤。
【請求項１７】  アジュバントが、コレステロール、サポニンおよびLPS誘導体を含む小胞性アジュバント製剤である、請求項１６に記載のワクチン製剤。
【請求項１８】  キャリアーをさらに含む、請求項１〜１７のいずれか１項に記載のワクチン製剤。
【請求項１９】  請求項１〜１８のいずれか１項に記載のワクチン製剤の製造方法であって、下記工程(a)〜(c):
(a)  RSVエンベロープウイルスを分割すること、
(b)  場合により、分割したエンベロープウイルス調製物を安定化剤と混合すること、
(c)  場合により、分割したエンベロープウイルス調製物をアジュバントと混合すること、
を含む、上記方法。
【請求項２０】  分割ウイルス調製物が安定化剤と混合されており、該安定化剤がポリオキシエチレンソルビタンモノオレエート（TWEEN 80TM）、t-オクチルフェノキシポリエトキシエタノール（TRITON X100TM）、およびポリオキシエチレン-9-ラウリルエーテルからなる群より選択される少なくとも１種の界面活性剤を含んでなる、請求項１９に記載のワクチン製剤の製造方法。
【請求項２１】  ワクチン製造における分割RSVワクチン調製物の使用。
【請求項２２】  疾病の予防または治療用のワクチン製剤の製造における、分割RSVワクチン調製物の使用。
【請求項２３】  (a)  分割RSVエンベロープウイルス調製物、および(b)  鼻腔内送達装置を含んでなる、請求項１〜１８のいずれか１項に記載の鼻腔内ワクチン製剤の送達用キット。
【請求項２４】  請求項１〜１８のいずれか１項に記載の分割ワクチン製剤を含んでなる鼻腔内送達装置.
【請求項２５】  RSVが原因で起こる疾病にかかりやすいかまたは該疾病にかかっている哺乳動物を有効量を投与することによって保護または治療するためのワクチン製剤の製造における、ウイルス膜断片、ウイルス膜エンベロープタンパク質、ウイルス基質、および核タンパク質を含む分割エンベロープRSVウイルス調製物の使用。
【請求項２６】  ワクチン製剤が皮内または鼻腔内経路により投与される、請求項２５に記載の使用。
【請求項２７】  鼻腔内または皮内送達用ワクチン製剤の製造における、分割RSVワクチン調製物の使用。
【請求項２８】  ワクチン製剤が免疫原性を有する、請求項１〜２７のいずれか１項に記載の製剤、方法、使用、キットまたは装置。
【請求項２９】  ワクチン製剤がセロポジティブおよびセロネガティブ両個体において免疫原性を有する、請求項２８に記載の製剤、方法、使用、キットまたは装置。
【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】  鼻腔内送達用のワクチン製剤の製造における、分割インフルエンザウイルス調製物以外の分割エンベロープウイルス調製物の使用。
【請求項２】  分割エンベロープウイルス調製物が、単独または混合物としての、呼吸器合胞体ウイルス、パラインフルエンザウイルス、麻疹ウイルス、および単純ヘルペスウイルスである、請求項１に記載の使用。
【請求項３】  分割エンベロープウイルス調製物が、ウイルス膜断片、ウイルス膜エンベロープタンパク質、ウイルス基質、および核タンパク質を含む、請求項１または２に記載の使用。
【請求項４】  １種以上の残留する分割剤をさらに含む、請求項１〜３のいずれか１項に記載の使用。
【請求項５】  残留する分割剤が、ラウレス(laureth)9、NaDOC、サルコシル(Sarcosyl)、Tween 80TM、およびTriton X-100TMからなる群より選択される、請求項４に記載の使用。
【請求項６】  分割剤がNaDOCまたはサルコシルである、請求項５に記載の使用。
【請求項７】  安定化剤をさらに含む、請求項１〜６のいずれか１項に記載の使用。
【請求項８】  安定化剤が界面活性剤である、請求項７に記載の使用。
【請求項９】  界面活性剤が、単独または混合物としての、ポリオキシエチレンソルビタンモノオレエート（TWEEN80TM）、t-オクチルフェノキシポリエトキシエタノール（TRITON X100TM）、およびポリオキシエチレン-9-ラウリルエーテルである、請求項８に記載の使用。
【請求項１０】  アジュバントをさらに含む、請求項１〜９のいずれか１項に記載の使用。
【請求項１１】  請求項１〜１０のいずれか１項に記載の分割インフルエンザウイルス調製物以外の鼻腔内ワクチン製剤の製造方法であって、
(a)  エンベロープウイルスを分割すること、
(b)  場合により、分割したエンベロープウイルス調製物を安定化剤と混合すること、
(c)  場合により、分割したエンベロープウイルス調製物をアジュバント（キャリアーおよび／または免疫刺激剤）と混合すること、
を含んでなる、上記方法。
【請求項１２】  安定化剤がポリオキシエチレンソルビタンモノオレエート（TWEEN 80TM）、t-オクチルフェノキシポリエトキシエタノール（TRITON X100TM）、およびポリオキシエチレン-9-ラウリルエーテルからなる群より選択される少なくとも１種の界面活性剤である、請求項１１に記載のワクチン製剤の製造方法。
【請求項１３】  疾病の予防または治療用の鼻腔内ワクチン製剤の製造における、分割インフルエンザウイルス調製物以外の分割エンベロープウイルス調製物の使用。
【請求項１４】  (a)分割エンベロープウイルス調製物、および(b)鼻腔内送達装置を含んでなる、請求項１〜１０のいずれか１項に記載の鼻腔内ワクチン製剤の送達用キット。
【請求項１５】  請求項１〜１０のいずれか１項に記載のワクチンを含んでなる鼻腔内送達装置。
【請求項１６】  圧閾値装置である、請求項１５に記載の装置。
【請求項１７】  エンベロープウイルスが原因で起こる疾病にかかりやすい、または該疾病にかかっている哺乳動物の保護または治療用の医薬組成物の製造における、請求項１〜１０のいずれか１項に記載のワクチンの使用。
【請求項１８】  ワクチン製剤がセロポジティブおよびセロネガティブ個体において免疫原性がある、請求項１〜１７のいずれか１項に記載の方法、使用、キットまたは装置。
【手続補正書】
【提出日】平成16年8月23日(2004.8.23)
【手続補正１】
【補正対象書類名】明細書
【補正対象項目名】特許請求の範囲
【補正方法】変更
【補正の内容】
【特許請求の範囲】
【請求項１】  医用電極であって：
この電極を身体に電気的につなぐための導電性で重合性の第１ゲル層；
この第１層の上に置かれた可撓性で多孔性の電導体；
該可撓性で多孔性の電導体の上に置かれ、そしてその多孔性導体を通して、第１層と共に重合される導電性で重合性の第２ゲル層；
第２ゲル層と接して置かれた電気接続；および
第２ゲル層に接着された絶縁性バッキング、
を含む医用電極。
【請求項２】  第２ゲル層が第１ゲル層より導電性である、請求項１に記載の医用電極。
【請求項３】  該可撓性で多孔性の導体が、非導電性のシートを含んでおり、その上に導電性層が置かれている、請求項１に記載の医用電極。
【請求項４】  該導電性層が、そのシートを横断して連続している、請求項３に記載の医用電極。
【請求項５】  導電層が電気的グリッドを含んでいる、請求項３に記載の医用電極。
【請求項６】  該電気的グリッドが、該非導電性シートの上に印刷された導電性インキ・パターンを含んでいる、請求項５に記載の医用電極。
【請求項７】  そのインキ・パターンが、相互接続インキ・ラインを有するペリメータを含んでおり、該ペリメータは、該非導電性シートの端から離れて配置されている、請求項６に記載の医用電極。
【請求項８】  第２ゲル層が、第１ゲル層より導電性である、請求項７に記載の医用電極。
【請求項９】  該電気的コネクタが、スナップ・コネクタを含んでおり、そのスナップ・コネクタは、それへの電気的アクセスのために、そのバッキングを通して延びている、請求項８に記載の医用電極。
【請求項１０】  該電気的コネクタが、リードワイヤを含んでいる、請求項８に記載の医用電極。
【請求項１１】  該電気的グリッドが該シートの全表面を覆って置かれている、請求項５に記載の医用電極。
【請求項１２】  医用電極であって：
この電極を身体に電気的につなぐための第１導電性ゲル層；
この第１導電性ゲル層の上に置かれた可撓性で多孔性の電導体；
該可撓性で多孔性の電導体の上に置かれ、そしてその多孔性導体を通して第１ゲル層に結合している第２導電性ゲル層；
第２ゲル層と接して置かれた電気接続；および
第２ゲル層に接着された絶縁性バッキング、
を含む医用電極。
【請求項１３】  第２ゲル層が第１ゲル層より導電性である、請求項１２に記載の医用電極。
【請求項１４】  該可撓性で多孔性の導体が、非導電性のシートを含んでおり、その上に導電性層が置かれている、請求項１２に記載の医用電極。
【請求項１５】  該導電性層が、そのシートを横断して連続している、請求項１４に記載の医用電極。
【請求項１６】  その導電性層が電気的グリッドを含んでいる、請求項１４に記載の医用電極。
【請求項１７】  該電気的グリッドが、該非導電性シートの上に印刷された導電性インキ・パターンを含んでいる、請求項１６に記載の医用電極。
【請求項１８】  そのインキ・パターンが、相互接続インキ・ラインを有するペリメータを含んでおり、該ペリメータが、該非導電性シートの端から離れて配置されている、請求項１７に記載の医用電極。
【請求項１９】  第２ゲル層が、第１ゲル層より導電性である、請求項１８に記載の医用電極。
【請求項２０】  該電気的グリッドが、該シートの全表面を覆って置かれている、請求項１６に記載の医用電極。
【請求項２１】  該電気的コネクタが、スナップ・コネクタを含んでおり、そのスナップ・コネクタが、それへの電気的アクセスのために、そのバッキングを通して延びている、請求項２０に記載の医用電極。
【請求項２２】  該電気的コネクタがリードワイヤを含んでいる、請求項２０に記載の医用電極。
【請求項２３】  医用電極であって：
この電極を身体に電気的につなぐための導電性で接着性のゲル層；
該導電性で接着性のゲル層の中に埋込まれた可撓性の多孔性の電導体であって、該可撓性の多孔性の電導体は該非導電性シートをその上に配置された電気的グリッドと共に含み、該電気的グリッドは該非導電性シートの上に印刷された導電性インキ・パターンを含んでいる、可撓性の多孔性の電導体；
該導電性で接着性のゲル層の表面に接して置かれた電気的コネクタ；および
そのゲル層表面に接着された絶縁性バッキング；
を含む医用電極。
【請求項２４】  そのインキ・パターンが、相互接続インキ・ラインを有するペリメータを含んでおり、該ペリメータが、該非導電性シートの端から離れて配置されている、請求項２３に記載の医用電極。
【請求項２５】  該電気的コネクタがスナップ・コネクタを含んでおり、そのスナップ・コネクタが、それへの電気的アクセスのために、そのバッキングを通して延びている、請求項２３に記載の医用電極。
【請求項２６】  医用電極であって：
この電極を身体に電気的につなぐための導電性で重合性の第１ゲル層；
この導電性で重合性の第１ゲル層に重合された医用薬を含んでいる導電性で重合性のゲル層；
この医用薬含有ゲル層の上に置かれた可撓性で多孔性の電導体；
該可撓性で多孔性の電導体の上に置かれたそして、その多孔性導体を通して、医用薬含有ゲルと共に重合された導電性で重合性の第２ゲル層；
第２ゲル層と接して置かれた電気的コネクタ；および
第２ゲル層に接着された絶縁性バッキング、
を含む医用電極。
【請求項２７】  第２ゲル層の導電率が、医用薬ゲル層および第１ゲル層の導電率より大きい、請求項２６に記載の医用電極。
【請求項２８】  該電気的コネクタがスナップ・コネクタを含んでおり、そのスナップ・コネクタが、それへの電気的アクセスのために、そのバッキングを通して延びている、請求項２６に記載の医用電極。
【請求項２９】  該電導体がリードワイヤを含んでいる、請求項２６に記載の医用電極。
【手続補正書】
【提出日】平成15年6月3日(2003.6.3)
【手続補正１】
【補正対象書類名】明細書
【補正対象項目名】特許請求の範囲
【補正方法】変更
【補正の内容】
【特許請求の範囲】
【請求項１】
患者の脊椎骨または骨盤骨に対する埋め込み装置であって、前記装置は、埋め込まれた場合、骨内部でのぐらつきや、骨からの引き抜きにたいして抵抗力があり、
患者の脊椎骨または骨盤骨に向き合う第１面を有する台であって、
脊椎固定インプラントに接続するための構造を含む台；および、
前記台の回転の際、骨の中に埋め込まれる少なくとも１本の螺旋スパイクであって、
前記少なくとも１本の螺旋スパイクは、前記台から接線方向に突出し、長軸方向に伸び、
前記少なくとも１本の螺旋スパイクは、遠位端において前記台が回転すると骨の中に侵入する先端部、近位端において前記台に接続される接合部、および、前記接合部と前記先端部との間において中間部を有する螺旋スパイク；
を含むことを特徴とする装置。
【請求項２】
前記長軸の周囲に延び、近位端が互いに１８０゜隔てられている一対の螺旋スパイクを含むことを特徴とする、請求項１の装置。
【請求項３】
前記長軸の周囲に延び、近位端が互いに１２０゜隔てられている３本の螺旋スパイクを含むことを特徴とする、請求項１の装置。
【手続補正書】
【提出日】平成14年6月28日(2002.6.28)
【手続補正１】
【補正対象書類名】明細書
【補正対象項目名】００３９
【補正方法】変更
【補正の内容】
【００３９】
溶融素材の温度は、デンプンの熱破壊がそれ以外では起こらないので、押出機のどの位置でも、１６０℃を越えなくてよい。更に、それは、デンプンの熱変化が少ないほど、溶融素材が高温にされるのが短くなる場合である。したがって、温度制御と材料押出量との最適な関係を作るべきである。


【手続補正２】
【補正対象書類名】明細書
【補正対象項目名】図面の簡単な説明
【補正方法】変更
【補正の内容】
【図面の簡単な説明】
【図１】
図１は、デンプンを含有する本発明による素材の、極限粘度数［η］に依存する破断点伸び［εｂ］を示す。
【図２】
図２は、ロータリーダイ法での充填および造形ステーションの概略図を示す。
【図３】
図３は、優先的な温度条件を用いた二軸スクリュー型押出機の記号表示を示す。


【手続補正３】
【補正対象書類名】図面
【補正対象項目名】全図
【補正方法】変更
【補正の内容】
【図１】
2004510456.tif 000001
【図２】
2004510456.tif 000002
【図３】
2004510456.tif 000003
【手続補正書】
【提出日】平成16年10月4日(2004.10.4)
【手続補正１】
【補正対象書類名】明細書
【補正対象項目名】特許請求の範囲
【補正方法】変更
【補正の内容】
【特許請求の範囲】
【請求項１】  培養器内で使用される細胞培養装置であって、
少なくとも１つの流路組立体カートリッジを支持するラックと、
少なくとも１つの媒体流路組立体カートリッジであって、
ハウジングであって、
ポンプと、
媒体流れを防止または分流するのに適した少なくとも１つのバルブと、
制御インターフェースと、
を取り付けられてなるハウジングと、
流路の無菌性を破ることなく、ハウジングに取外し自在に取付け可能な無菌媒体灌      流培養流路ループであって、前記媒体灌流培養流路ループは、ポンプ及び少なくと      も１つのバルブとの流体連通状態で、
少なくとも１つのバイオチャンバーと、
気体透過膜と、及び
媒体容器と、
を有する媒体灌流培養流路ループと、
を含むカートリッジと、
を備えることを特徴とする細胞培養装置。
【請求項２】  ハウジングは、少なくとも１つの非侵襲センサーをさらに備えることを特徴とする請求項１に記載の装置。
【請求項３】  流れセンサーをさらに備えることを特徴とする請求項１に記載の装置。
【請求項４】  流れセンサーは、滴下室を備えることを特徴とする請求項３に記載の装置。
【請求項５】  気体透過膜は、酸素付加装置であることを特徴とする請求項１に記載の装置。
【請求項６】  媒体流路組立カートリッジであって、
ハウジングであって、
ポンプと、
媒体流れを防止または分流するのに適した少なくとも１つのバルブと、
制御インターフェースと、
を取り付けられてなるハウジングと、
流路の無菌性を破ることなくハウジングに取外し自在に取付け可能な無菌媒体灌流培養  流路ループであって、前記媒体灌流培養流路ループは、ポンプ及び少なくとも１つのバ  ルブと流体連通状態で、
少なくとも１つのバイオチャンバーと、
気体透過膜と、及び
媒体容器と、
を含んでいる媒体灌流培養流路ループと、
を備えていることを特徴とする媒体流路組立カートリッジ。
【請求項７】  単独操作用の電源をさらに備えていることを特徴とする請求項６に記載のカートリッジ。
【請求項８】  単独操作用の制御インターフェースをさらに備えていることを特徴とする請求項６に記載のカートリッジ。
【請求項９】  自動化されたサンプリング装置であって、
輸送流体を搬送する流体ポンプと、
一方向流動弁と、
アリコート・サンプルを灌流培養ループから一方向流動弁へ分流するためのバルブと、
流体ポンプと一方向流動弁は、輸送流体を一方向流動弁に搬送するために直列に連結され、
輸送流体内のアリコート・サンプルを一方向流動弁から収集装置または分析装置へ搬送する手段と、
を有する自動化されたサンプリング装置をさらに備えることを特徴とする請求項６に記載のカートリッジ。
【請求項１０】  少なくとも１つのバイオチャンバーは、静的細胞培養または細胞灌流装置に使用するために変換可能であり、前記バイオチャンバーは、
第１チャンバーと、
カバーと、
前記第１チャンバーを前記カバーに取外し自在に連結可能とするシールと、
前記第１チャンバーと前記カバーの間に配され、それにより第２チャンバーを構成する少なくとも一つのインサートと、
を備えていることを特徴とする請求項６に記載のカートリッジ。
【手続補正書】
【提出日】平成16年9月30日(2004.9.30)
【手続補正１】
【補正対象書類名】明細書
【補正対象項目名】特許請求の範囲
【補正方法】変更
【補正の内容】
【特許請求の範囲】
【請求項１】  植物中の遺伝子の増幅と発現が可能なベクターであって、発現すべき少なくとも１つの非ウイルス性遺伝子の配列を有し、かつその下流の遺伝子の翻訳に必要な少なくとも１つのＩＲＥＳ要素を有するかまたはコードする核酸を含む、ベクター。
【請求項２】  ＩＲＥＳ要素が、その翻訳を直接支持するために、発現すべき該非ウイルス性遺伝子の上流に位置する、請求項１記載のベクター。
【請求項３】  ＩＲＥＳ要素が、該ベクターの感染、増幅、ウイルス組み立て、植物細胞中のウイルス感染の発生のサイレンシング（silencing）を抑制する能力、植物細胞中の代謝の方向を変える（redirect）能力、および細胞間または遠隔距離移動よりなる群から選択される該ベクターの機能に必須である、その下流の別の遺伝子の翻訳を直接支持することにより、発現すべき非ウイルス性遺伝子の翻訳を間接的に支持する、請求項１または２に記載のベクター。
【請求項４】  宿主植物の遺伝子を抑制するために、アンチセンス配向の宿主植物ゲノムの少なくとも１部分の配列をさらに含む、請求項１〜３のいずれか一項に記載のベクター。
【請求項５】  アンチセンス配向の該配列が、植物中のｃａｐ依存性翻訳に必須の遺伝子を抑制する、請求項４記載のベクター。
【請求項６】  植物中の増幅が可能なベクターであって、該ベクターの増幅に必要であって、ＩＲＥＳ要素の下流に位置する遺伝子の翻訳に必要な、少なくとも１つの該ＩＲＥＳ要素を有するかまたはコードする核酸を含み、該ベクターは、宿主植物の遺伝子を抑制するために、アンチセンス配向の宿主植物ゲノムの少なくとも１部分の配列をさらに含む、ベクター。
【請求項７】  植物ウイルスから得られる、請求項１〜６のいずれか一項に記載のベクター。
【請求項８】  植物中の該ベクターの細胞間または遠隔距離移動に介在するタンパク質をコードする遺伝子を含む、請求項１〜７のいずれか一項に記載のベクター。
【請求項９】  増幅のために機能するタンパク質をコードする、請求項１〜８のいずれか一項に記載のベクター。
【請求項１０】  ＩＲＥＳ要素が植物ウイルス由来である、請求項１〜９のいずれか一項に記載のベクター。
【請求項１１】  ＩＲＥＳ要素が、植物由来の固有のＩＲＥＳのセグメントであるかまたはこれを含む、請求項１〜９のいずれか一項に記載のベクター。
【請求項１２】  ＩＲＥＳ要素が合成ＩＲＥＳ要素である、請求項１〜９のいずれか一項に記載のベクター。
【請求項１３】  ＩＲＥＳ要素が、固有のＩＲＥＳ要素のセグメントのマルチマーであるかまたはこれを含む、請求項１２記載のベクター。
【請求項１４】  ＩＲＥＳ要素が、固有の１８Ｓ  ｒＲＮＡのＩＲＥＳ結合セグメントに本質的に相補的な少なくとも１つの配列のマルチマーであるかまたはこれを含む、請求項１２記載のベクター。
【請求項１５】  ベクターによりコードされる１個または数個の遺伝子の翻訳がｃａｐ非依存性である、請求項１〜１４のいずれか一項に記載のベクター。
【請求項１６】  請求項１〜１５のいずれか一項に記載のベクターを生成させるための、宿主植物の核酸のプロセシング機構によるプロセシングを受ける配列を有する前駆ベクター。
【請求項１７】  分子生物学の標準手法により、インビトロまたはインビボで請求項１〜１６のいずれか一項に記載のベクターに変換可能な前駆ベクター。
【請求項１８】  構造遺伝子の機能を測定するための、請求項１〜１５のいずれか一項に記載のベクターの使用。
【請求項１９】  タンパク質を産生するための、請求項１〜１５のいずれか一項に記載のベクターの使用。
【請求項２０】  タンパク質が、抗体、抗原、受容体アンタゴニスト、神経ペプチド、酵素、血液因子、第VIII因子、第IX因子、インスリン、プロインスリン、ソマトトロピン、血清アルブミン、組織型プラスミノーゲンアクチベーター、並びに顆粒球−マクロファージコロニー刺激因子、マクロファージコロニー刺激因子、顆粒球コロニー刺激因子、インターロイキン３、インターロイキン１１、トロンボポエチンおよびエリスロポエチン等の造血因子よりなる群から選択される、請求項１９記載の使用。
【請求項２１】  宿主植物中で形質を生成させるための、請求項１〜１５のいずれか一項に記載のベクターの使用。
【請求項２２】  ベクターが農場の植物または植物の部分に適用される、請求項１９〜２１のいずれか一項に記載の使用。
【請求項２３】  植物が、ｃａｐ依存性翻訳を阻害する物質で処理される、請求項１８〜２２のいずれか一項に記載の使用。
【請求項２４】  請求項１〜１７のいずれか一項に記載のベクターまたは前駆ベクターと、該ベクターの増幅と発現を支持する固有のまたは遺伝子操作した植物とを含む遺伝子発現系。
【請求項２５】  植物への、請求項１〜１７のいずれか一項に記載の１つまたはそれ以上のベクターまたは前駆ベクターの送達を支持する、アグロバクテリウム（Agrobacterium）中間宿主系をさらに含む、請求項２４記載の系。
【請求項２６】  アグロバクテリウム（Agrobacterium）中間宿主が、発現すべき遺伝子の発現に必要なまたは望ましい他の形質の移動および一過性または安定な発現をさらに支持する、請求項２５記載の系。
【請求項２７】  系が、同一植物細胞または同一植物中の２つまたはそれ以上の遺伝子の発現を支持する、請求項２５または２６に記載の系。
【請求項２８】  発現すべき該遺伝子が、抗体、抗原、受容体アンタゴニスト、神経ペプチド、酵素、血液因子、第VIII因子、第IX因子、インスリン、プロインスリン、ソマトトロピン、血清アルブミン、組織型プラスミノーゲンアクチベーター、並びに顆粒球−マクロファージコロニー刺激因子、マクロファージコロニー刺激因子、顆粒球コロニー刺激因子、インターロイキン３、インターロイキン１１、トロンボポエチンおよびエリスロポエチン等の造血因子よりなる群から選択される、請求項２５〜２７のいずれか一項に記載の系。
【請求項２９】  ＩＲＥＳ要素が、その下流のレポーター遺伝子の翻訳に必要なＩＲＥＳ要素を選択することにより、ランダム化されたヌクレオチド配列からの指向性の進化によって産生される、請求項１〜１７のいずれか一項に記載のベクターの作成方法。
【手続補正書】
【提出日】平成15年4月9日(2003.4.9)
【手続補正１】
【補正対象書類名】明細書
【補正対象項目名】００５６
【補正方法】変更
【補正の内容】
【００５６】
輸送タンパク質；ホーミングレセプター；アドレッシン；調節タンパク質；抗体；および上記ポリペプチドの任意のフラグメント。
下記の実施例は本発明の例示であるが、本発明を限定するものと解釈すべきでない。
【手続補正書】
【提出日】平成16年10月4日(2004.10.4)
【手続補正１】
【補正対象書類名】明細書
【補正対象項目名】特許請求の範囲
【補正方法】変更
【補正の内容】
【特許請求の範囲】
【請求項１】  ４０’ｓループのカチオン性部位に少なくとも２つの変異を含み、そして野生型分子に比較して低下したＧＡＧ結合活性を有するＣＣケモカイン変異体の、多発性硬化症及び／又は他の脱髄疾患の処置のための薬学組成物の製造のための使用であって、但し、ＣＣケモカインがＲＡＮＴＥＳ，ＭＩＰ−１アルファ、ＭＩＰ−１ベータ、ＭＩＰ−３，ＨＣＣ１，Ｉ３０９，Ｉ３５６１２及びＭＩＰ−２からなる群から選択される、上記使用。
【請求項２】  ケモカイン変異体がＲＡＮＴＥＳ変異体である、請求項１記載の使用。
【請求項３】  ケモカイン変異体が、４０’ｓループのカチオン性部位中の３つの塩基性アミノ酸を他のアミノ酸に置換したＲＡＮＴＥＳの三重変異体である、請求項２記載の使用。
【請求項４】  ４０’ｓループ中のカチオン性部位の３つの塩基性アミノ酸がアラニン、セリン、スレオニン、プロリン又はグリシンに置換されている、請求項３記載の使用。
【請求項５】  ケモカイン変異体が配列番号２のＲＡＮＴＥＳ変異体である、請求項４記載の使用。
【請求項６】  ケモカイン変異体が配列番号３のＲＡＮＴＥＳ変異体である、請求項４記載の使用。
【請求項７】  ケモカイン変異体が配列番号４のＭＩＰ−１アルファ変異体である、請求項１記載の使用。
【請求項８】  ケモカイン変異体が配列番号５のＭＩＰ−１ベータ変異体である、請求項１記載の使用。
【請求項９】  活性成分として請求項１ないし８に定義されたケモカイン変異体を薬学上受容可能な賦形剤と共に含む、多発性硬化症及び／又は脱髄疾患の処置のための薬学組成物。
【請求項１０】  配列番号３のアミノ酸配列を有する、末端削除されて変異したヒトＲＡＮＴＥＳ。
【請求項１１】  請求項１０記載の末端削除されて変異したＲＡＮＴＥＳをコードするＤＮＡ配列を含むＤＮＡ分子。
【請求項１２】  請求項１１記載のＤＮＡ分子を含む発現ベクター。
【請求項１３】  請求項１２記載の発現ベクターを含む宿主細胞。
【請求項１４】  請求項１３記載の細胞を適切な培養培地中で培養することを含む、請求項１記載のポリペプチドを製造するための組換え法。
【手続補正書】
【提出日】平成16年5月26日(2004.5.26)
【手続補正１】
【補正対象書類名】明細書
【補正対象項目名】特許請求の範囲
【補正方法】変更
【補正の内容】
【特許請求の範囲】
【請求項１】  単離されたポリペプチドであって、該単離されたポリペプチドは、ＷＴ１の一部またはその改変体を含み、該改変体は、１以上の置換、欠失、付加、および／もしくは挿入において異なり、その結果、該改変体がＷＴ１特異的Ｔ細胞株またはクローンと反応する能力が、ＷＴと比較して実質的に減少せず、ここで該ポリペプチドは、配列番号２、配列番号１４４、配列番号２４１に示されるアミノ酸配列を少なくとも含むが、ＷＴ−１のアミノ酸１〜２８１より多くない、ポリペプチド。
【請求項２】  請求項１に記載の単離されたポリペプチドと融合パートナーとの融合物を含む、ポリペプチド。
【請求項３】  前記融合パートナーが、Ｒａ１２、プロテインＤ、ＬＹＴＡ、ＨＩＳタグ、およびエンドソーム／リソソーム画分にポリペプチドを指向し得る標的化シグナルからなる群より選択される請求項２に記載のポリペプチド。
【請求項４】  前記ポリペプチドが、配列番号３９３に示されるアミノ酸配列を含む、請求項３に記載のポリペプチド。
【請求項５】  請求項１〜４のいずれか１項に記載のポリペプチドをコードする、単離されたポリヌクレオチド。
【請求項６】  プロモーターに作動可能に連結される、請求項５に記載の単離されたポリヌクレオチドを含む、発現ベクター。
【請求項７】  請求項６に記載の発現ベクターで形質転換されたか、またはトランスフェクトされた、宿主細胞。
【請求項８】  薬学的に受容可能なキャリアまたは賦形剤と組み合わせて請求項１〜４のいずれか１項に記載のポリペプチドを含む、組成物。
【請求項９】  免疫刺激物質と組み合わせて請求項１〜４のいずれか１項に記載のポリペプチドを含む、ワクチン。
【請求項１０】  前記免疫刺激物質が、患者におけるＴ細胞応答を増強する、請求項９に記載のワクチン。
【請求項１１】  請求項１０に記載のワクチンであって、ここで、前記免疫刺激物質が、ＭＰＬ、ＲＣ−５２９、ＡＧＰｓ、Ｓｅｐｐｉｃ  Ｍｏｎｔａｎｉｄｅ  ＩＳＡ  ７２０、サイトカイン、ミクロスフェア、ＡＳ−２、ＱＳ２１、Ｒｉｂｉ  Ａｄｊｕｖａｎｔ系ベースのアジュバント、サポニンベースのアジュバント、および免疫刺激複合体（ｉｓｃｏｍ）ベースのアジュバントからなる群より選択される、ワクチン。
【請求項１２】  薬学的に受容可能なキャリアまたは賦形剤と組み合わせて、請求項５に記載のポリヌクレオチドを含む、組成物。
【請求項１３】  免疫刺激物質と組み合わせて、請求項５に記載の単離されたポリヌクレオチドを含む、ワクチン。
【請求項１４】  前記免疫刺激物質が、患者におけるＴ細胞応答を増強する、請求項１３に記載のワクチン。
【請求項１５】  請求項１４に記載のワクチンであって、前記免疫刺激物質が、ＭＰＬ、ＲＣ−５２９、ＡＧＰｓ、Ｓｅｐｐｉｃ  Ｍｏｎｔａｎｉｄｅ  ＩＳＡ  ７２０、サイトカイン、ミクロスフェア、ＡＳ−２、ＱＳ２１、Ｒｉｂｉ  Ａｄｊｕｖａｎｔ系ベースのアジュバント、サポニンベースのアジュバント、および免疫刺激複合体（ｉｓｃｏｍ）ベースのアジュバントからなる群より選択される、ワクチン。
【手続補正書】
【提出日】平成15年4月11日(2003.4.11)
【手続補正１】
【補正対象書類名】明細書
【補正対象項目名】特許請求の範囲
【補正方法】変更
【補正の内容】
【特許請求の範囲】
【請求項１】
タンパク質、炭水化物および内在性酵素を含む全粒大豆を提供することと、
前記内在性酵素を活性化するために、前記全粒大豆をインキュベートすることと、
前記全粒大豆のそれぞれの子葉を露出させるように、前記全粒大豆を脱ぷすることと、
前記内在性酵素で前記タンパク質を加水分解することと、
前記子葉をゼラチン化することと、
前記子葉をスラリーになるまでひくことと、
前記炭水化物を前記内在性酵素で加水分解して、大豆食品ベースを形成することと
を含む、大豆食品ベースを生産する方法。
【請求項２】
前記内在性酵素は、前記全粒大豆中に天然に存在するプロテイナーゼおよびセルラーゼを含む、請求項１に記載の方法。
【請求項３】
前記タンパク質の加水分解は、前記プロテイナーゼが前記子葉中の前記タンパク質を加水分解させるのに十分な温度及び時間で、前記子葉をインキュベートすることを含む、請求項２に記載の方法。
【請求項４】
前記子葉は、前記タンパク質の加水分解中に、４５℃〜約２５℃の温度で、約６時間〜約１２時間インキュベートされる、請求項３に記載の方法。
【請求項５】
前記スラリーに、炭水化物の加水分解を促進可能な酵素を添加することをさらに含む、請求項４に記載の方法。
【請求項６】
前記スラリーを、添加した前記酵素が活性化して、添加した前記セルラーゼが少なくとも部分的に前記スラリー中の前記炭水化物を加水分解するのに十分な温度及び時間で、インキュベートすることをさらに含む、請求項５に記載の方法。
【請求項７】
前記大豆食品ベースに、甘味料、香料、安定化助剤および着色料から選択される成分を添加することをさらに含む、請求項５に記載の方法。
【請求項８】
前記大豆食品ベースを均質化することをさらに含む、請求項７に記載の方法。
【請求項９】
前記大豆食品ベースを殺菌することをさらに含む、請求項８に記載の方法。
【請求項１０】
前記大豆食品ベースを無菌的に容器に封入することをさらに含む、請求項９に記載の方法。
【請求項１１】
前記大豆食品ベースを低温殺菌することをさらに含む、請求項８に記載の方法。
【請求項１２】
タンパク質と炭水化物とを含む大豆子葉を提供することと、
前記タンパク質を加水分解することと、
前記炭水化物を加水分解して、前記大豆子葉の加水分解炭水化物の実質的にすべてを含む加水分解大豆ベースを形成し、それによって、加水分解した前記タンパク質および加水分解した前記炭水化物が、水相から実質的に分離不可能になることと、
から構成される、水相からの分離に抵抗性のある加水分解大豆ベースを製造する方法。
【請求項１３】
前記大豆子葉は、生存能力の高い大豆である、請求項１２に記載の方法。
【請求項１４】
提供された前記大豆子葉の一部分が発芽するように、前記大豆子葉を水和化しかつインキュベートすることを含む、請求項１２に記載の方法。
【請求項１５】
提供された前記大豆子葉の少なくとも３０％が発芽する、請求項１４に記載の方法。
【請求項１６】
提供された前記大豆子葉の少なくとも７０％が発芽する、請求項１５に記載の方法。
【請求項１７】
前記子葉をスラリーになるまで分解することをさらに含む、請求項１２に記載の方法。
【請求項１８】
前記大豆子葉中に存在するプロテイナーゼは、前記タンパク質を加水分解する、請求項１７に記載の方法。
【請求項１９】
前記炭水化物を加水分解するステップにおいて、炭水化物の分解を高めるために、酵素を前記スラリーに添加することをさらに含む、請求項１８に記載の方法。
【請求項２０】
添加する前記酵素は、セルラーゼおよびヘミセルラーゼから選択される、請求項１９に記載の方法。
【請求項２１】
提供された子葉１ｋｇ当り約１０ｇまでのセルラーゼを前記スラリーに添加する、請求項２０に記載の方法。
【請求項２２】
前記プロテイナーゼを活性化するために十分であるが、前記炭水化物加水分解酵素を活性化するには不十分な第１の温度で、大豆子葉をインキュベートすることをさらに含む、請求項１２に記載の方法。
【請求項２３】
前記炭水化物加水分解酵素を活性化するための前記第１の温度よりも高い他の温度で、前記大豆子葉をインキュベートすることをさらに含む、請求項２２に記載の方法。
【請求項２４】
前記加水分解大豆ベースに、甘味料、香料、安定化助剤および着色料から選択される成分を添加することをさらに含む、請求項２３に記載の方法。
【請求項２５】
前記加水分解大豆ベースを、飲料、ヨーグルト、デザート、小児用食品、リキュール、プディング、クリーム、スプレッド、チーズ、マヨネーズ、シャーベット、豆腐、湯葉、油揚げ、ミルクセーキおよびスープから選択される食製品に混入することをさらに含む、請求項１２に記載の方法。
【請求項２６】
全粒大豆を提供することと、
前記全粒大豆中に存在するタンパク質を加水分解することと、
前記全粒大豆中に存在する炭水化物を加水分解し、それにより、加水分解した前記タンパク質及び加水分解した炭水化物が架橋してコロイド結合を形成することができなくなることと、
を含む、大豆製品を製造する方法。
【請求項２７】
酵素を添加して、前記炭水化物の加水分解中に炭水化物が加水分解される速度を上げることを含む、請求項２６に記載の方法。
【請求項２８】
前記酵素は、セルラーゼおよびヘミセルラーゼの少なくとも１つである、請求項２７に記載の方法。
【請求項２９】
生存能力の高い全粒大豆を選択することを含む、請求項２６に記載の方法。
【請求項３０】
前記全粒大豆は、ｐＨ約６〜約８の液体中に浸漬される、請求項２６に記載の方法。
【請求項３１】
前記大豆は、ｐＨ約２〜約４の液体中に浸漬される、請求項３０に記載の方法。
【請求項３２】
前記液体のｐＨを低下させるために、食品等級の酸を前記液体に添加することを含む、請求項３０に記載の方法。
【請求項３３】
前記炭水化物加水分解工程が、タンパク質加水分解工程の後に実行される、請求項２６に記載の方法。
【請求項３４】
水と、
炭水化物およびタンパク質を含む全粒大豆から作製される大豆ベースであって、前記炭水化物およびタンパク質が加水分解することにより前記水中に懸濁して残る大豆ベースと
を含む、大豆飲料。
【請求項３５】
前記炭水化物は、セルラーゼによって加水分解される、請求項３４に記載の大豆飲料。
【請求項３６】
前記炭水化物および前記タンパク質は、架橋して消費者が見ることのできる凝集塊を形成しない、請求項３４に記載の大豆飲料。
【請求項３７】
前記大豆ベースはコロイド的に安定である、請求項３４に記載の大豆飲料。
【請求項３８】
酪農牛乳と、
該酪農牛乳と混合され、全粒大豆から加工される加水分解ベースであって、コロイド形成及び前記酪農牛乳からの分離に抵抗性のある加水分解大豆ベースと
を含む、豆乳。